(57)【要約】【課題】  開閉用可動枠の掛留め装置として、可動枠または受け枠に取付けて相互に係合させる係合部材を、工具を用いることなくに簡単に取付けることができるような機構を提供する。【解決手段】  相互に係合する係合部材３０，５０を係合させる掛留め装置であって、可動枠１２の対向側壁２３の開口縁に長手方向の取付縁２６を相互に対向させて突設し、この取付縁間に挿入した係合部材３０の係止部片３７を、傾斜させた状態から取付姿勢に回動させることにより該取付縁２６に係止させ、該可動枠１２における係合部材３０の上下に、係合部材３０と外形断面が略同形のカバー２７を取付け、該カバー２７と係合部材３０の突出部２９，３３を、第２の係合部材５０が取付けられた受け枠１３の受け溝内に嵌挿する。【選択図】        図４
2005307559.tif 000002
【特許請求の範囲】
【請求項１】
開閉用可動枠とそれが当接する受け枠の一方に、その枠の長手方向に延びる突出部を有する第１の係合部材を取付けると共に、上記枠の他方に上記第１の係合部材と係合する第２の係合部材を取付けてそれらを係合させる掛留め装置であって、
上記第１の係合部材を取付ける可動枠または受け枠が、他方の枠との対向面側にその全長にわたり長手方向に沿うカバー取付用開口を有し、該開口を形成する対向側壁の開口縁に長手方向の取付縁を相互に対向させて突設し、
上記第１の係合部材が、その背面側に、上記対向する両取付縁の内側に係止して取付けられ、その最終的取付姿勢から傾斜させた状態では上記取付縁への係止が外れる係止部片を設け、
上記第１の係合部材を係止した可動枠または受け枠における該係合部材の上下に、上記第１の係合部材の傾動を抑止できる態様で該係合部材と外形断面が略同形のカバーを取付け、
該カバー及び第１の係合部材における上記突出部が、上記可動枠と受け枠の接合時に、上記第２の係合部材が取付けられた受け枠または可動枠における対向面側の長手方向に沿う受け溝内に嵌入されるものとした、
ことを特徴とする開閉用可動枠の掛留め装置。
【請求項２】
上記第１の係合部材が、上記突出部内に永久磁石を有し、上記第２の係合部材には、上記可動枠と受け枠の接合時に、該磁石に磁気的吸着により係合する鉄板を設けた、
ことを特徴とする請求項１に記載の開閉用可動枠の掛留め装置。
【請求項３】
上記第１の係合部材における永久磁石が、上記突出部内に板状の該磁石を両側から一対の板状のヨークで挟んだ状態で収容されて、該一対のヨークの端部が上記突出部の先端面に設けた露出用孔に嵌入するように配設されている、
ことを特徴とする請求項２に記載の開閉用可動枠の掛留め装置。
【請求項４】
上記第１の係合部材の背面に設ける係止部片が、該背面の長手方向の中心線の両側に対称で外向きに突出する部分円板状の係止壁を有し、
上記一対の係止壁の最外側間の距離が上記対向する取付縁の間の開口の幅よりも大きく、上記係止壁の長手方向の長さが該開口の幅よりも小さく、上記一対の係止壁がその回動位置により該開口内に挿入可能である、
ことを特徴とする請求項２または３に記載の開閉用可動枠の掛留め装置。
【請求項５】
上記第１の係合部材の背面に設ける係止部片が、該背面の長手方向に離間した位置に、第１の係合部材の中心線上の一点に対し点対称で外向きに突出する係止壁を有し、
上記一対の係止壁は、対向する取付縁の間の開口に係止壁を挿入して上記第１の係合部材の長手方向を該開口の方向に向けた場合に、上記一対の係止壁が上記取付縁に係合し、その状態から該一対の係止壁を取付縁から離脱する方向に第１の係合部材を傾動させた場合に、上記両係止壁が上記取付縁間の開口の幅内に収まって該開口に挿脱可能に構成されている、
ことを特徴とする請求項２または３に記載の開閉用可動枠の掛留め装置。
【請求項６】
上記第２の係合部材が、外表面に鉄板の露出用孔を有し、側壁に複数の弾性係止片を突出させて設けたケースに、上記鉄板を収容することにより構成され、
上記第２の係合部材を取付ける受け枠または可動枠が、第１の係合部材との対向面と反対の側に、該ケースを収容する開口を有し、
上記開口に挿入した上記ケースの側壁から突出する弾性係止片を上記開口周辺の枠壁に係止することにより、該第２の係合部材を上記受け枠または可動枠に取付けた、
ことを特徴とする請求項２〜５のいずれかに記載の開閉用可動枠の掛留め装置。
【請求項７】
第２の係合部材を取付ける受け枠または可動枠が、第１の係合部材を取付けた枠との対向面側にその全長にわたり長手方向に沿うカバー取付用開口を有し、該開口を形成する対向側壁の開口縁に長手方向の取付縁を相互に対向させて突設し、
上記第２の係合部材が、第１の係合部材における突出部の磁石に対面する受け溝内底に鉄板の露出用孔を有しているケースを備え、該ケースに上記鉄板を収容すると共に、その背面側に、上記対向する両取付縁の内側に係止して取付けられ、その最終的取付姿勢から傾斜させた状態では上記取付縁への係止が外れる係止部片を設けることにより構成され、
上記第２の係合部材を係止した受け枠または可動枠における該係合部材の上下に、上記第２の係合部材の傾動を抑止できる態様で該係合部材と外形断面が略同形のカバーを取付け、
上記可動枠と受け枠の接合時に、第１の係合部材及びそれを取付けた可動枠または受け枠におけるカバーの突出部が、上記第２の係合部材及びそれが取付けられた受け枠または可動枠におけるカバーの対向面側の長手方向に沿う受け溝内に嵌入されるものとした、
ことを特徴とする請求項２〜５のいずれかに記載の開閉用可動枠の掛留め装置。
【請求項８】
上記第２の係合部材の背面に設ける係止部片が、該背面の長手方向に離間した位置に、第２の係合部材の中心線上の一点に対し点対称で外向きに突出する係止壁を有し、
上記一対の係止壁は、対向する取付縁の間の開口に係止壁を挿入して上記第２の係合部材の長手方向を該開口の方向に向けた場合に、上記一対の係止壁が上記取付縁に係合し、その状態から該一対の係止壁を取付縁から離脱する方向に第２の係合部材を傾動させた場合に、上記両係止壁が上記取付縁間の開口の幅内に収まって該開口に挿脱可能に構成されている、
ことを特徴とする請求項７に記載の開閉用可動枠の掛留め装置。
【発明の詳細な説明】
【技術分野】
【０００１】
本発明は、収納式の網戸や、遮光、断熱、目隠しのためのスクリーン装置等における開閉用可動枠の掛留め装置に関するものである。
【背景技術】
【０００２】
収納式の網戸や、遮光、断熱等のためのスクリーン装置においては、ネットやスクリーンの一端に取付けた開閉用可動枠とそれが当接する受け枠の間に掛留め装置を設けて、該ネットやスクリーンの張設時に開閉用可動枠を受け枠に係合させるようにしている。
【０００３】
しかしながら、従来の開閉用可動枠の掛留め装置では、通常、可動枠及び受け枠にそれぞれ第１及び第２の係合部材をネジを用いて取付け、該可動枠と受け枠の接合時に、該第１及び第２の係合部材を磁気的手段等により係合させていた。
図１２はその一例を示すもので、内部に磁石を有する係合部材１０６を、可動枠（または受け枠）１０１における長手方向に沿う開口１０３の対向側壁１０４の内側に設けた互いに対向する一対の凸壁１０４ａに当接させ、上記係合部材１０６の上下端に設けた取付脚板１０７と別設のナット１０８とで上記一対の凸壁１０４ａを挟み、止めねじ１０９でそれらをねじ止めすることにより、上記係合部材１０６を可動枠（または受け枠）１０１に取付けていた。
そのため、この掛留め装置では、係合部材の取付けの際に、取付けのための工具や別部品の上記ナットを凸壁１０４ａの背後に保持するための手段が必要であると共に、取付け作業が面倒であるという問題があった。
【発明の開示】
【発明が解決しようとする課題】
【０００４】
本発明の課題は、上記問題を解決し、可動枠と受け枠の間に設ける掛留め装置の係合部材を、工具を用いることなく該可動枠または受け枠に簡単に取付けたり取外したりすることができる開閉用可動枠の掛留め装置を提供することにある。
本発明の他の課題は、上記係合部材を回動させるだけで簡単に着脱できる構成として、上記カバーの長ささえ調整すれば、該係合部材の取付け位置を可動枠や受け枠の任意の位置に変更できるようにし、使用に便ならしめた開閉用可動枠の掛留め装置を提供することにある。
【０００５】
また、本発明の他の課題は、可動枠や受け枠を構成する型材の形状を有効に利用し、上記係合部材を回動させるだけで可動枠または受け枠の長手方向の任意の位置に係止可能にすると共に、それらの枠に係止させた係合部材の上下に取付けるカバーによって、スクリーン装置の可動枠及び受け枠をデザイン的にすぐれたものにすると同時に、該カバーによって係合部材の回転をも抑止し、それによって、簡単でありながら安定的に係合部材を取付けられるようにした開閉用可動枠の掛留め装置を提供することにある。
【課題を解決するための手段】
【０００６】
上記課題を解決するための本発明の開閉用可動枠の掛留め装置は、開閉用可動枠とそれが当接する受け枠の一方に、その枠の長手方向に延びる突出部を有する第１の係合部材を取付けると共に、上記枠の他方に上記第１の係合部材と係合する第２の係合部材を取付けてそれらを係合させる掛留め装置であって、上記第１の係合部材を取付ける可動枠または受け枠が、他方の枠との対向面側にその全長にわたり長手方向に沿うカバー取付用開口を有し、該開口を形成する対向側壁の開口縁に長手方向の取付縁を相互に対向させて突設し、上記第１の係合部材が、その背面側に、上記対向する両取付縁の内側に係止して取付けられ、その最終的取付姿勢から傾斜させた状態では上記取付縁への係止が外れる係止部片を設け、上記第１の係合部材を係止した可動枠または受け枠における該係合部材の上下に、上記第１の係合部材の傾動を抑止できる態様で該係合部材と外形断面が略同形のカバーを取付け、該カバー及び第１の係合部材における上記突出部が、上記可動枠と受け枠の接合時に、上記第２の係合部材が取付けられた受け枠または可動枠における対向面側の長手方向に沿う受け溝内に嵌入されるものとしたことを特徴とするものである。
【０００７】
上記構成を有する本発明の掛留め装置では、可動枠と受け枠の間に設ける第１の係合部材を、それを取付けるべき枠のカバー取付用開口における取付縁の間に、該係合部材を傾斜させた状態で挿入したうえで最終取付姿勢まで回動すればよく、そのため、工具を用いることなく可動枠または受け枠に該係合部材を簡単に取付けたり取外したりすることができ、また、該係合部材を可動枠または受け枠の長手方向の任意の位置に着脱自在に取付けることができる。
【０００８】
更に、上記第１の係合部材を係止した取付縁における該第１の係合部材の上下にカバーを取付けることにより、可動枠や受け枠に係止した第１の係合部材の傾動を防止することができ、しかも、該カバー及び上記第１の係合部材における突出部が、上記可動枠と受け枠の接合時に、第２の係合部材が取付けられた受け枠または可動枠の対向面側における長手方向に沿う受け溝内に嵌挿されるため、可動枠と受け枠の接合時の隙間を無くすることができる。
【０００９】
上記掛留め装置の好ましい実施の形態においては、上記第１の係合部材が、上記突出部内に永久磁石を有し、上記第２の係合部材には、上記可動枠と受け枠の接合時に、該磁石に磁気的吸着により係合する鉄板を設けたものとし、更に具体的には、上記第１の係合部材における永久磁石が、上記突出部内に板状の該磁石を両側から一対の板状のヨークで挟んだ状態で収容されて、該一対のヨークの端部が上記突出部の先端面に設けた露出用孔に嵌入するように配設されたものとして構成される。
【００１０】
また、本発明の掛留め装置における第１の係合部材の好ましい実施の形態においては、上記第１の係合部材の背面に設ける係止部片が、該背面の長手方向の中心線の両側に対称で外向きに突出する部分円板状の係止壁を有し、上記一対の係止壁の最外側間の距離が上記対向する取付縁の間の開口の幅よりも大きく、上記係止壁の長手方向の長さが該開口の幅よりも小さく、上記一対の係止壁がその回動位置により該開口内に挿入可能なものとして構成し、あるいは、上記第１の係合部材の背面に設ける係止部片が、該背面の長手方向に離間した位置に、第１の係合部材の中心線上の一点に対し点対称で外向きに突出する係止壁を有し、上記一対の係止壁は、対向する取付縁の間の開口に係止壁を挿入して上記第１の係合部材の長手方向を該開口の方向に向けた場合に、上記一対の係止壁が上記取付縁に係合し、その状態から該一対の係止壁を取付縁から離脱する方向に第１の係合部材を傾動させた場合に、上記両係止壁が上記取付縁間の開口の幅内に収まって該開口に挿脱可能に構成される。
【００１１】
更に、本発明における第２の係合部材の好ましい実施形態においては、該第２の係合部材が、外表面に鉄板の露出用孔を有し、側壁に複数の弾性係止片を突出させて設けたケースに、上記鉄板を収容することにより構成され、上記第２の係合部材を取付ける受け枠または可動枠が、第１の係合部材との対向面と反対の側に、該ケースを収容する開口を有し、上記開口に挿入した上記ケースの側壁から突出する弾性係止片を上記開口周辺の枠壁に係止することにより、該第２の係合部材を上記受け枠または可動枠に取付けたものとして構成される。
第２の係合部材を上記のように構成すると、第２の係合部材を構成するケースをその開口に押入して、該開口の周辺の適宜枠壁にケースから突出する弾性係止片を係止するだけで、第２の係合部材を工具を用いることなく受け枠または可動枠に簡単に取付けることができる。
【００１２】
上記第２の係合部材の他の好ましい実施の形態においては、該第２の係合部材を取付ける受け枠または可動枠が、第１の係合部材を取付けた枠との対向面側にその全長にわたり長手方向に沿うカバー取付用開口を有し、該開口を形成する対向側壁の開口縁に長手方向の取付縁を相互に対向させて突設し、上記第２の係合部材が、第１の係合部材における突出部の磁石に対面する受け溝内底に鉄板の露出用孔を有しているケースを備え、該ケースに上記鉄板を収容すると共に、その背面側に、上記対向する両取付縁の内側に係止して取付けられ、その最終的取付姿勢から傾斜させた状態では上記取付縁への係止が外れる係止部片を設けることにより構成され、上記第２の係合部材を係止した受け枠または可動枠における該係合部材の上下に、上記第２の係合部材の傾動を抑止できる態様で該係合部材と外形断面が略同形のカバーを取付け、上記可動枠と受け枠の接合時に、第１の係合部材及びそれを取付けた可動枠または受け枠におけるカバーの突出部が、上記第２の係合部材及びそれが取付けられた受け枠または可動枠におけるカバーの対向面側の長手方向に沿う受け溝内に嵌入されるものとして構成される。
【００１３】
上記第２の係合部材の更に好ましい実施の形態においては、該第２の係合部材の背面に設ける係止部片が、該背面の長手方向に離間した位置に、第２の係合部材の中心線上の一点に対し点対称で外向きに突出する係止壁を有し、上記一対の係止壁は、対向する取付縁の間の開口に係止壁を挿入して上記第２の係合部材の長手方向を該開口の方向に向けた場合に、上記一対の係止壁が上記取付縁に係合し、その状態から該一対の係止壁を取付縁から離脱する方向に第２の係合部材を傾動させた場合に、上記両係止壁が上記取付縁間の開口の幅内に収まって該開口に挿脱可能に構成される。
【００１４】
上記構成により、第１の係合部材及び第２の係合部材の両者を、可動枠と受け枠のカバー取付用開口における取付縁の間に、それらの係合部材を傾斜させた状態で挿入したうえで取付姿勢まで回動して取付けるようにすると、工具を用いることなく、それらの係合部材を可動枠または受け枠に簡単に取付けたり取外したりすることができ、また、それら係合部材を可動枠や受け枠の長手方向の任意の位置に着脱自在に取付けることができる。更に、それらの係合部材を係止した取付縁における該係合部材の上下にカバーを取付けることにより、両係合部材の傾動を防止し、それらを安定的に取付けることができる。
【発明の効果】
【００１５】
以上に詳述した本発明の開閉用可動枠の掛留め装置によれば、可動枠と受け枠の間に設ける掛留め装置の係合部材を、工具を用いることなく該可動枠または受け枠に簡単に取付けたり取外したりすることができ、しかも、該係合部材の取付け位置を可動枠や受け枠の長手方向の任意の位置に変更することができる。
【発明を実施するための最良の形態】
【００１６】
図１〜図９は、本発明に係る開閉用可動枠の掛留め装置を備えたスクリーン装置の第１実施例を示している。
この掛留め装置は、収納式の網戸や、遮光、断熱、目隠し、装飾等のためのスクリーン装置における開閉用可動枠と、スクリーンの張設時にその可動枠が当接する受け枠とに設けて、それらを係合するために使用されるものであるが、図では、収納式の網戸において使用する場合を例示している。
【００１７】
図１〜図３は、上記掛留め装置を備えた網戸の全体的構成を示している。
上記網戸１は、ネット（スクリーン）１０の一端を保持する主縦枠１１と、該ネット１０の他端を保持する開閉用の可動枠１２と、該ネット１０の張設時に可動枠１２が当接する受け枠１３とを備え、上記主縦枠１１と受け枠１３とを、上横枠１４及び下横枠１５によって連結し、上記可動枠１２の上下端をこれらの横枠によって摺動自在にガイドさせている。そして、上記可動枠１２及び受け枠１３に、上記掛留め装置を構成する第１の係合部材３０及び第２の係合部材５０をそれぞれ取付けている。
【００１８】
上記ネット１０は、図１及び図２に示すように、交互に反対方向に折曲して、アコーディオン状に折り畳まれるように形成したもので、その一端を保持する上記主縦枠１１には、対向する一対の側壁１７によって形成される長手方向の口部の内奥に、該ネット１０の端部に固定した固定板２０を係合させて固定している。
一方、上記可動枠１２には、上記主縦枠１１と同様に、対向する一対の側壁１８によって主縦枠１１側に向けて形成された長手方向の口部の内奥に、ネット１０の端部に固定した固定板２１を係合させて固定している。
そして、上記主縦枠１１における一対の側壁１７間に形成される空間と、可動枠１２の一対の側壁１８間に形成される空間とは、折り畳んだネット１０の収容に必要な大きさに形成され、折り畳み時のネットが収容される。
【００１９】
上記可動枠１２における受け枠１３との対向面側には、その全長にわたり、図２及び図４の（ａ）（ｂ）に示すように、一対の対向側壁２３により形成される長手方向に沿ったカバー取付用開口を設け、該開口を形成する上記一対の対向側壁２３の開口縁には、第１の係合部材３０及びカバー２７を取付ける長手方向の取付縁２６を、相互に対向させて設けている。
また、受け枠１３における可動枠１２との対向面側には、その全長にわたり、図２及び図７に示すように、対向する一対の対向側壁２４によって形成されるところの、長手方向に沿う開口を設け、該開口の内底に上記第１の係合部材３０と係合する第２の係合部材５０を取付けている。
【００２０】
上記可動枠１２に取付ける上記第１の係合部材３０は、図５及び図６に詳細に示すように、該可動枠１２の取付縁２６に係合させて取付ける断面凸状の本体部材３１を備え、この本体部材３１は、略直方体状をなす取付け部３２と、該取付け部３２から突出して可動枠１２への装着時に該枠の長手方向に延びる方向に向けた突出部３３とを有している。
上記突出部３３の内部は、永久磁石を収容するための空間として使用できるように、該突出部３３内から取付け部３２の内部を貫通して本体部材３１の背面に開かせている。該空間には、図５の（ｂ）に示すように、板状の磁石６１と該板状の磁石６１を両側からサンドイッチ状に挟む両端に切欠きを持った一対の板状のヨーク６２とが収容される。該磁石６１は板厚方向に着磁されたものであって、該一対のヨーク６２の切欠き間の端部が上記突出部３３の先端面に設けた露出用孔３４から若干突出するように嵌入される。
【００２１】
上記第１の係合部材３０は、上記取付け部３２の上記突出部３３を設けた側とは反対側である背面に、上記磁石６１及びヨーク６２を挿入するための細長い開口部３５と、該開口部３５の両側から突出し、その基端側に溝部３６ａを有する一対の半円錐状突子３６とを設けており、該一対の半円錐状突子３６の溝部３６ａには、上記突出部３３内に収容した磁石６１及びヨーク６２が該開口部３５から抜け出るのを防止する環状の弾性体３８を装着している。
【００２２】
また、上記第１の係合部材３０には、図５及び図６に示すように、その背面側に、上記可動枠１２における一対の対向側壁２３の取付縁２６のそれぞれの内側に係止する一対の係止部片３７を設けている。この係止部片３７は、第１の係合部材３０の最終的取付姿勢（図４の（ｂ）参照）では取付縁２６に係合するが、該姿勢から傾斜させた状態（図４の（ａ）参照）では上記取付縁２６間へ挿脱できるように形成したもので、具体的には、上記第１の係合部材３０の背面に突出状態で設ける係止部片３７が、該背面の長手方向の中心線の両側に対称で外向きに突出する部分円板状の係止壁３７ａを有し、上記一対の係止壁３７ａの最外側間の距離を上記対向する取付縁２６の間の開口の幅よりも大きく、上記係止壁３７ａの長手方向の長さを該開口の幅よりも小さく形成している。部分円板状をなす上記係止壁３７ａは、本体部材３１の中心に円弧の中心を持つものである。
【００２３】
このように形成すると、図４の（ａ）に示すように、上記第１の係合部材３０の長手方向を可動枠１２の取付縁２６間の開口に対し９０°程度傾けた状態では、該第１の係合部材３０の係止壁３７ａを上記開口内に挿入することができ、その状態で該係合部材３０を矢印Ｘで示すように回転させ、図４の（ｂ）に示すように、その長手方向が上記開口の長手方向と一致する最終取付姿勢の状態にすると、上記一対の係止壁３７ａの最外側間の距離が上記開口の幅よりも大きいため、該係止壁３７ａを取付縁２６に係止させて、第１の係合部材３０を可動枠１２に取付けることができる。
したがって、上記第１の係合部材３０は、それを可動枠１２に押付けた状態で回動させるだけで、工具を用いることなく、可動枠１２の長手方向の任意の位置に簡単に取付けることができる。
【００２４】
また、図４の（ｃ）に示すように、上記第１の係合部材３０を係止した上記取付縁２６における該第１の係合部材３０の上下には、上記第１の係合部材３０と外形断面が略同形のカバー２７を、可動枠１２の上記取付縁２６に係合させて取付けるが、これらのカバー２７は、その突出部２９が第１の係合部材３０の突出部３３と実質的に同形状を有するばかりでなく、その基部２８が該係合部材３０の取付け部３２と実質的に同形状を有し、そのためカバー２７はその端面が第１の係合部材３０の端面にぴったりと当接し、それにより、第１の係合部材３０に多少の外力が作用してもそれが傾動するのを抑止できるようにしている。
【００２５】
一方、上記受け枠１３は、図１、図２及び図７に示すように、可動枠１２との対向面側に、その長手方向の全長にわたり、一対の対向側壁２４によって形成される開口を設け、その内底の枠壁２５に前記第２の係合部材５０を取付けているが、上記開口の口縁を、上記可動枠１２と受け枠１３の接合時に上記カバー２７及び第１の係合部材３０における上記突出部２９，３２が嵌入する受け溝４１とし、また、上記受け枠１３の開口の内底壁を構成する枠壁２５に、該開口とは反対の背面側から第２の係合部材５０を形成するケース５１を収容するための開口４２を設けている。
【００２６】
上記第２の係合部材５０は、図８〜図９に詳細に示すように、ケース５１に、前記磁石６１に磁気的吸着により係合する鉄板６４を収容することにより構成したもので、該ケース５１は、その外表面に鉄板６４の一部を露出させるための露出用孔５３を設けて、該露出用孔５３の周囲に前記枠壁２５の開口４２に嵌挿する突出壁５２を設け、また、ケース５１内には、上記露出用孔５３から露出するように収容した鉄板６４を支持するための支持板６５を収容し、該支持板６５の周囲に設けた複数の支持片６５ａを係止するための切欠部５６をケース５１の内壁面に設けて該支持板６５を保持させ、更に、該ケース５１の側壁に外方に突出する複数の弾性係止片５５を設けて、それらの弾性係止片５１を枠壁に係止することにより、上記開口４２に挿入した第２の係合部材５０を受け枠１３に取付けるようにいしている。
このような第２の係合部材５０は、上記第１の係合部材３０と同様に、工具を用いることなく簡単に、上記受け枠１３に取付けることことができる。
【００２７】
上記第１及び第２の係合部材３０，５０によって構成される掛留め装置を備えた可動枠１２及び受け枠１３は、該可動枠１２と受け枠１３の接合時に、可動枠１２のカバー２７の突出部２９及び第１の係合部材３０の突出部３３が、第２の係合部材５０を取付けた受け枠１３の長手方向に沿う受け溝４１内に嵌挿されるため、可動枠１２と受け枠１３の接合時の隙間を無くすることができ、防虫及び美観の点で好ましい。
【００２８】
なお、上記実施例では、可動枠１２に第１の係合部材３０を取付け、受け枠１３に第２の係合部材５０を取付けているが、この関係を逆にして、可動枠１２に第２の係合部材５０を取付け、受け枠１３に第１の係合部材３０を取付けることもできる。このことは、以下に説明する第２実施例についても同様である。
【００２９】
図１０〜図１１は、本発明の第２実施例を示している。この第２実施例において上記第１実施例と共通する部分は、第１実施例と同じ符号を付することにより、以下においてその説明を省略する。
この第２実施例における可動枠１１２は、第１実施例における可動枠１２と実質的に同じ構成を有しており、また、第２実施例における掛留め装置の第１の係合部材１３０は、第１実施例における係止部片３７に対応する構成を除いて、第１実施例における第１の係合部材３０と実質的に同じ構成を有している。
【００３０】
上記第１の係合部材１３０は、図１０（ａ）に示すように、突出部３３を設けた側と反対側の背面に設ける係止部片１３７として、該背面の長手方向に離間した位置で、第１の係合部材１３０の中心線上の一点に対し点対称になる位置に、それぞれ外向きに突出する係止壁１３７ａを有している。
上記一対の係止壁１３７ａは、対向する取付縁２６の間の開口に該係止壁１３７ａを挿入して（図１０の（ａ）の状態）、上記第１の係合部材１３０の長手方向を該開口の長手方向に向けた場合（図１０の（ｂ）の状態）に、上記一対の係止壁１３７ａが上記取付縁２６に係合し、その状態から該一対の係止壁１３７ａを取付縁２６から離脱する方向に第１の係合部材１３０を傾動させた場合に、上記両係止壁１３７ａが上記取付縁２６間の開口の幅内に収まって、該開口に挿脱できるように構成されている。
【００３１】
また、上記第１の係合部材１３０では、図１０（ａ）に示すように、係止壁１３７ａが一方の取付縁２６に係合したときに、弾性的に僅かに突出して反対側の取付縁２６に係合する一対の弾性係止片１３９を設けている。この弾性係止片１３９は、第１の係合部材１３０を離脱させるために、取付縁２６に対する係止壁１３７ａの係合を外す方向に該第１の係合部材を回動させるときには、多少の力を加えることにより取付縁２６への係合が外れるものである必要がある。
なお、図１０の（ｃ）に示すように、可動枠１１２に装着するカバー２７によって第１の係合部材１３０の傾動を抑止する点も、第１実施例と同様である。
【００３２】
一方、この第２実施例において第２の係合部材を取付ける受け枠１１３としては、上記可動枠１１２と同じ形状のものを用い、従って第１実施例の可動枠１２とも同じ形状を有しているので、可動枠１１２と同じ符号を付して説明を省略する。
この受け枠１１３に取付ける第２の係合部材１５０は、図１１（ａ）に示すように、第１の係合部材１３０の突出部３３が挿入されるところの長手方向に延びる受け溝１５２を備えたケース１５１内に、第１の係合部材１３０の突出部３３内の磁石６１及びヨーク６２に対面する鉄板１６４を収容して、該ケース１５１における受け溝１５２の内底に該鉄板１６４の露出用孔１５３を設けている。上記ケース１５１内に鉄板１６４を収容するに際しては、該ケース端に設けた孔からその内部に鉄板１６４を挿入し、適宜手段で固定するとか、該ケース１５１を合成樹脂で成形するに際してその内部に鉄板１６４を埋設するなど、適宜手段を採用することができる。
【００３３】
上記第２の係合部材１５０のケース１５１は、その背面側に、受け枠１１３内の対向する取付縁２６に係止させる手段として、前記第１の係止部材１３０における係止部片１３７と実質的に同一の構成を有する一対の係止部片１７７を設けた構成を示しているが、この取付縁２６に係止させる手段としては、該第２の係合部材１５０が、その最終的取付姿勢から傾斜させた状態では上記取付縁２６への係止が外れるが、その最終的取付姿勢では取付縁２６に係止するようにした構成、例えば、先に図４〜図６によって説明したような第１の係合部材３０の係止手段を採用することもできる。
【００３４】
図１１に示す上記第２の係合部材１５０のケース１５１の背面側に設けた一対の係止部片１７７は、前記第１の係止部材１３０における係止部片１３７と実質的に同一の構成を有するものであるが、具体的には、ケース１５１における背面の中央凸部１５４の両側において、該背面の長手方向に離間した位置で、第２の係合部材１５０の中心線上の一点に対し点対称で外向きに突出する係止壁１７７ａを持った係止部片１７７として構成している。この係止壁１７７ａは、受け枠１１３内の対向する取付縁２６に係脱させるもので、図１１の（ａ）に示すような最終的取付姿勢から傾斜させた状態では、上記一対の取付縁２６間へそれらの係止部片１７７を挿脱できるが、図１１の（ｂ）に示すような取付姿勢では、係止壁１７７ａが取付縁２６に係止するようにしている。
また、第１の係止部材１３０と同様に、係止壁１７７ａが一方の取付縁２６に係合したときに、弾性的に僅かに突出して反対側の取付縁２６に係合する一対の弾性係止片１７９を設けている。
【００３５】
また、図１１の（ｃ）に示すように、上記第２の係合部材１５０を係止した受け枠１１３における該係合部材１５０の上下に、該係合部材１５０の傾動を抑止できる態様で、具体的には第２の係合部材１５０の端面にぴったりと当接する状態で、該係合部材１５０と外形断面が略同形のカバー１２７を、取付縁２６に係合させて取付けている。これにより、第２の係合部材１５０に多少の外力が作用してもそれが傾動するのを抑止することができる。
【００３６】
上記構成を有する可動枠１１２と受け枠１１３は、その接合時に、第１の係合部材１３０及びそれを取付けた可動枠におけるカバー２７の突出部３３，２９が、第２の係合部材１５０及びそれを取付けた受け枠１１３におけるカバー１２７の長手方向に沿う受け溝１５２，１２９内に嵌入され、可動枠１１２と受け枠１１３の接合時の隙間を無くすることができる。
【図面の簡単な説明】
【００３７】
【図１】本発明に係る開閉用可動枠の掛留め装置を備えた網戸の一例を示す正断面図である。
【図２】同平断面図である。
【図３】図１のＡ−Ａ断面図である。
【図４】（ａ）は、上記掛留め装置の第１の係合部材を可動枠の開口に取付ける状態を示す斜視図、（ｂ）は、その係合部材を可動枠に装着した状態を示す斜視図、（ｃ)は、同係合部材及びカバーが装着された可動枠の斜視図である。
【図５】（ａ）は、第１の係合部材の斜視図、（ｂ）は、同係合部材の分解状態を示す斜視図、（ｃ）は、同係合部材の他の分解状態を示す斜視図、（ｄ）は、組立完了状態を示す斜視図である。
【図６】（ａ）は、上記第１の係合部材における本体部材の平面図、（ｂ）は、同断面図、（ｃ）は上記（ａ）におけるＣ−Ｃ位置での断面図である。
【図７】可動枠が接合される受け枠の斜視図である。
【図８】（ａ）は、受け枠に装着する第２の係合部材の斜視図、（ｂ）は、同係合部材の分解斜視図である。
【図９】（ａ）は上記第２の係合部材におけるケースの断面図、（ｂ）は上記（ａ）におけるＢ−Ｂ位置での断面図、（ｃ）は同ケースの底面図である。
【図１０】（ａ）は、本発明に係る掛留め装置の第２実施例における第１の係合部材を可動枠の開口に取付ける状態を示す斜視図、（ｂ）は、その係合部材を可動枠に装着した状態を示す斜視図、（ｃ)は、同係合部材及びカバーが装着された可動枠の斜視図である。
【図１１】（ａ）は、上記第２実施例における第２の係合部材を受け枠の開口に取付ける状態の斜視図、（ｂ）は、上記第２の係合部材を受け枠に装着した状態を示す斜視図、（ｃ)は、同係合部材及びカバーが装着された受け枠の斜視図である。
【図１２】従来の開閉用可動枠の掛留め装置の斜視図である。
【符号の説明】
【００３８】
１            網戸
１０          ネット
１２，１１２  可動枠
１３，１１３  受け枠
２３，２４    対向側壁
２６          取付縁
２７，１２７  カバー
２９          突出部
３０，１３０  第１の係合部材
３３          突出部
３７，１３７  係止部片
３７ａ，１３７ａ，１７７ａ  係止壁
４１，１２９，１５２  受け溝
４２          開口
５０，１５０  第２の係合部材
５１，１５１  ケース
５３，１５３  露出用孔
５５          弾性係止片
６１          磁石
６２          ヨーク
６４，１６４  鉄板
【図１】
2005307559.tif 000003
【図２】
2005307559.tif 000004
【図３】
2005307559.tif 000005
【図４】
2005307559.tif 000006
【図５】
2005307559.tif 000007
【図６】
2005307559.tif 000008
【図７】
2005307559.tif 000009
【図８】
2005307559.tif 000010
【図９】
2005307559.tif 000011
【図１０】
2005307559.tif 000012
【図１１】
2005307559.tif 000013
【図１２】
2005307559.tif 000014